(57)【要約】  有機エレクトロルミネッセンス素子を光源として有し、筐体と、この筐体内に、発光領域を視認方向に対して円弧状に湾曲した状態で搭載された有機エレクトロルミネッセンス素子と、有機エレクトロルミネッセンス素子の光の射出面方向の筐体に設けられ、光射出面が平坦面である光学部材とを有する電子機器を構成する。
2014208455.tif 000002
【特許請求の範囲】
【請求項１】
有機エレクトロルミネッセンス素子を光源として有する電子機器であって、
筐体と、
前記筐体内に、発光領域が視認方向に対して湾曲した状態で搭載された有機エレクトロルミネッセンス素子と、
前記有機エレクトロルミネッセンス素子の光の射出面方向の前記筐体に設けられ、光射出面が平坦面である光学部材と、を有する
電子機器。
【請求項２】
前記有機エレクトロルミネッセンス素子は、前記筐体の内部側面に固定されている請求項１に記載の電子機器。
【請求項３】
前記有機エレクトロルミネッセンス素子が搭載される筐体内に、反射部材を備える請求項１に記載の電子機器。
【請求項４】
前記反射部材が、前記有機エレクトロルミネッセンス素子のベゼル部に設けられている請求項３に記載の電子機器。
【請求項５】
前記反射部材が、前記有機エレクトロルミネッセンス素子の射出面側の筐体側面に設けられている請求項３に記載の電子機器。
【請求項６】
前記光学部材が、光射出方向が平坦面であり、前記有機エレクトロルミネッセンス素子側に凹面を有する凹レンズである請求項５に記載の電子機器。
【請求項７】
前記光学部材が、拡散板である請求項５に記載の電子機器。
【請求項８】
前記有機エレクトロルミネッセンス素子の曲率半径ｒが、前記筐体の内部寸法ｄに対して０．５ｄ≦ｒ≦１ｄとなる請求項１に記載の電子機器。
【請求項９】
前記曲率半径ｒが０．５ｄのとき、発光幅ＬｅがＬｅ≦π×ｒである請求項８に記載の電子機器。
【発明の詳細な説明】
【技術分野】
【０００１】
本発明は、有機エレクトロルミネッセンス素子を光源として備える電子機器に係わる。
【背景技術】
【０００２】
近年、電子機器に搭載される光源として、有機エレクトロルミネッセンス素子（有機ＥＬ素子）が使用されつつある。また、有機ＥＬ素子として、基材にＰＥＴ等の可撓性基板を用いたフレキシブルタイプが具体化されている。【０００３】
電子機器は携帯ゲーム機、携帯電話、タブレット等の携帯型が普及し、小型化、薄型化が進むにつれ、内部部品も小型化している。このため、これらの電子機器に搭載される有機ＥＬ素子も、実装面積の縮小が進んでいる。【０００４】
一方で、有機ＥＬ素子は発光領域の外周に非発光領域であるベゼル（額縁）が存在する。このため、実装領域からベゼル部を除いた領域が発光領域となり、ベゼル部により発光領域が狭められる。従って、狭い領域に有機ＥＬ素子を実装するにはベゼル部が障害となり、発光領域が狭くなる。【０００５】
上述の実装面積の小さな電子機器に有機ＥＬ素子を搭載する方法としては、例えば、有機ＥＬ素子の端部を、筐体骨格を構成する支持体の裏面側に折り曲げることが提案されている（例えば、特許文献１参照）。この方法では、有機ＥＬ素子の端部を折り曲げることにより、実装面積よりも大きな面積の有機ＥＬ素子を搭載することが可能となる。
【先行技術文献】
【特許文献】
【０００６】
【特許文献１】特開２００３−４３９５９号公報
【発明の概要】
【発明が解決しようとする課題】
【０００７】
近年の電子機器の小型化により、筐体の厚さも縮小されている。このため、上述の有機ＥＬ素子を支持体の裏面側に折り曲げる方法では、筐体が薄い場合は、裏面側に折り曲げられる領域が小さくなる。このため、ベゼル部の領域が障害となり、十分な発光領域を確保することが難しい。【０００８】
上述した問題の解決のため、本発明においては、有機エレクトロルミネッセンス素子の発光領域の拡大が可能な電子機器を提供するものである。
【課題を解決するための手段】
【０００９】
本発明の電子機器は、有機エレクトロルミネッセンス素子を光源として有し、筐体と、この筐体内に、発光領域を視認方向に対して湾曲した状態で搭載された有機エレクトロルミネッセンス素子と、有機エレクトロルミネッセンス素子の光の射出面方向の筐体に設けられ、光射出面が平坦面である光学部材とを有する。【００１０】
有機エレクトロルミネッセンス素子が、発光領域を視認方向に対して湾曲した状態で搭載されることにより、有機エレクトロルミネッセンス素子の面積を大きくすることができる。このため、ベゼル部による障害を抑制し、発光領域の面積を増加させることができる。
【発明の効果】
【００１１】
本発明によれば、有機エレクトロルミネッセンス素子の発光領域の拡大が可能な電子機器を提供することができる。
【図面の簡単な説明】
【００１２】
【図１】実施形態の電子機器の概略構成を示す図である。
【図２】電子機器に組み込まれる有機ＥＬ素子の概略構成を示す図である。
【図３】第１実施形態の筐体内に設けられた発光部の構成を示す図である。
【図４】筐体内に平面上の有機ＥＬ素子が搭載された構成を示す図である。
【図５】発光幅Ｌｅと係数ｋとの関係を示すグラフである。
【図６】筐体内に曲率半径ｒ＝０．５ｄの有機ＥＬ素子が搭載された構成を示す図である。
【図７】第１実施形態の筐体内に設けられた発光部の構成を示す図である。
【図８】第１実施形態の筐体内に設けられた発光部の構成を示す図である。
【図９】第２実施形態の筐体内に設けられた発光部の構成を示す図である。
【図１０】第２実施形態の筐体内に設けられた発光部の構成を示す図である。
【図１１】第３実施形態の筐体内に設けられた発光部の構成を示す図である。
【図１２】第３実施形態の筐体内に設けられた発光部の構成を示す図である。
【発明を実施するための形態】
【００１３】
以下、本発明を実施するための最良の形態の例を説明するが、本発明は以下の例に限定されるものではない。
なお、説明は以下の順序で行う。
１．電子機器（第１実施形態）
２．電子機器（第２実施形態）
３．電子機器（第３実施形態）
【００１４】
〈１．電子機器（第１実施形態）〉
［電子機器の構成］
以下、本発明の電子機器の具体的な実施の形態について説明する。
図１に、本実施形態の電子機器の概略構成を示す。また、図２に、図１に示す電子機器に組み込まれる有機エレクトロルミネッセンス素子（有機ＥＬ素子）の概略構成を示す。
【００１５】
図１に示す電子機器１０は、筐体１１と、この筐体の一部に設けられた発光部１２とを備える。また、発光部１２は、筐体１１の表面に設けられた光学部材１８と、筐体１１内に搭載された有機ＥＬ素子２０とを備えている。筐体１１内の発光部１２に搭載される有機ＥＬ素子２０は、電子機器１０の制御回路１７に電気的に接続されている。図１では、電子機器１０の筐体１１として、直方体の第１側面１１Ａ、底面１１Ｂ、及び、第２側面１１Ｃを示している。また、発光部１２は、筐体１１の第２側面１１Ｃに設けられている。
【００１６】
光学部材１８は、発光部１２において、筐体１１内に設けられた有機ＥＬ素子２０の光射出面側に、発光部１２の表面をふさぐように筐体１１上に設けられている。光学部材１８は、光透過性の材料により形成されている。また、光学部材１８は、光射出面が平坦に形成されている。
発光部１２の射出面に設ける光学部材１８としては、例えば、発光部１２の表面を覆うための透明部材、保護部材等による構成や、後述する凹レンズ、拡散板、及び、他の形状のレンズ、プリズムシート等の射出光の配光性を改善できる構成とすることもできる。
【００１７】
筐体１１内の発光部１２に搭載される有機ＥＬ素子２０は、図２に示すように、矩形状の発光領域２１と、発光領域２１の周囲に設けられた非発光領域のベゼル部２２とを有する。発光領域２１は、例えば、対となる電極と、この電極間に少なくとも発光層を有する発光ユニットが設けられている。
ベゼル部２２は、例えば、上記電極に接続するための配線や、発光ユニットを封止するための封止部材、その他設計上のスペース等が設けられている。
また、有機ＥＬ素子２０には、有機ＥＬ素子２０を電子機器１０の制御回路１７等に電気的に接続するためのコネクタ２４と、有機ＥＬ素子２０とコネクタ２４間に設けられたフレキシブルプリント基板（ＦＰＣ）２３とが接続されている。
【００１８】
電子機器１０において発光部１２は、任意の文字又は図形等を示す表示に用いることができる。発光部１２は、発光により従来の発光しない表示に比べて視認性が高く、表示効果が高い。さらに、発光部１２は電子機器１０の筐体１１内に形成されるため、発光部１２を搭載するための部材を別に設ける必要がなく、少ない部品で電子機器に発光機能を有する表示部を形成することができる。
【００１９】
本例の電子機器１０の用途は特に限定されず、例えば、携帯ゲーム機、携帯電話、タブレット等の携帯端末や、撮像装置等の小型の電子機器に適用することができる。また、プリンタ、ファックス、オーディオ、及びビジュアル機器等の携帯されない電子機器にも適用することができる。
電子機器１０が、携帯端末や撮像装置等のように携帯可能な場合には、発光部１２を発光させるための電流を供給する電源は、筐体１１の内部に設けられる。また、電子機器１０が携帯されない場合には、発光部１２を発光させるための電流を供給する電源は、筐体１１の外部から供給されてもよい。
【００２０】
［発光部の構成］
次に、筐体１１に設けられた発光部１２の構成を図３に示す。
図３に示すように、発光部１２の筐体１１内において、有機ＥＬ素子２０は、視認方向に対して発光領域２１を円弧状に湾曲した状態で搭載されている。つまり、有機ＥＬ素子２０は、発光部１２の光の射出方向（図面上側）に対して、発光領域２１が凸状に湾曲した状態で筐体１１内に搭載されている。
また、発光部１２において、筐体１１上に光学部材１８が設けられている。この光学部材１８は、発光部１２の光の射出面に設けられている。光学部材１８は、筐体１１から全体が突出して設けられ、射出面側の表面が平坦面である。
【００２１】
発光部１２において、有機ＥＬ素子２０は、筐体１１と一体化して外骨格を形成する構成ではなく、筐体１１の外部骨格とは別に取り付けられた構成である。また、光学部材１８も、筐体１１とは別に取り付けられた構成である。そして、電子機器１０の外観上では、有機ＥＬ素子２０は、筐体１１の表面上に露出するような構成とされず、有機ＥＬ素子２０が筐体１１の内側に埋め込まれるように取り付けられている。さらに、筐体１１の内側に埋め込まれた有機ＥＬ素子２０の光射出方向に、光学部材１８が設けられることにより、有機ＥＬ素子２０が筐体１１の表面から露出しないように設けられている。
【００２２】
具体的には、有機ＥＬ素子２０のベゼル部２２の端部が、筐体１１の内部側面に設けられた有機ＥＬ素子２０の取り付け溝１３に、はめ込まれるように固定されている。取り付け溝１３は、有機ＥＬ素子２０の取り付け位置や、有機ＥＬ素子２０の曲率等を考慮して設けられている。また、光学部材１８が筐体１１の光射出方向における端面上に固定されている。
この取り付け溝１３において、有機ＥＬ素子２０が筐体１１の内部側面に固定され、筐体１１の表面（端面）上に光学部材１８が固定されることで、発光部１２が構成されている。
【００２３】
図３に示すように、有機ＥＬ素子２０を筐体１１内で、光の射出方向に対して湾曲させることにより、筐体１１内に搭載される有機ＥＬ素子２０の大きさを、筐体１１内の実装面積よりも大きくすることができる。
例えば、筐体１１の全幅Ｗを９．０ｍｍ、筐体１１の部材厚さを１．０ｍｍとすると、有機ＥＬ素子２０が搭載される筐体１１内の実装面積の筐体内部寸法ｄは７．０ｍｍとなる。
【００２４】
この筐体１１内に、図４に示すように、平面形状の有機ＥＬ素子２０を搭載するためには、有機ＥＬ素子２０の全幅（Ｌｅ＋２Ｌｂ）（発光領域２１の発光幅Ｌｅとベゼル部２２のベゼル幅Ｌｂとの合計）は、７．０ｍｍ以下とする必要がある。
これに対して、図３に示すように、有機ＥＬ素子２０を、光の射出方向に対して円弧状に、例えば曲率半径４ｍｍで湾曲させた場合には、筐体１１内に搭載できる有機ＥＬ素子２０の全幅（Ｌｅ＋２Ｌｂ）を８．５ｍｍとすることができる。
【００２５】
湾曲方向のベゼル部２２のベゼル幅Ｌｂを２．５ｍｍとしたとき、図４に示すように有機ＥＬ素子２０を平面状に搭載した場合には、有機ＥＬ素子２０の発光領域２１の発光幅Ｌｅは２．０ｍｍとなる。そして、図３に示すように、有機ＥＬ素子２０を光の射出方向に対して円弧状に湾曲させて搭載した場合、有機ＥＬ素子２０の発光領域２１の発光幅Ｌｅは、３．５ｍｍとなる。
なお、有機ＥＬ素子２０の曲率半径は、有機ＥＬ素子２０内部の有機層、及び、電極の強度から実験的に３ｍｍ以上であることが望ましい。
【００２６】
図３に示すように、筐体内部寸法ｄ、発光幅Ｌｅ、ベゼル幅Ｌｂ、中心角θ（ｒａｄ）、及び、曲率半径ｒ＝ｋｄ（但し、ｋは係数）とおくと、余弦定理から
ｄ２＝２ｒ２−２ｒ２ＣＯＳθ
ｄ２＝２（ｋｄ）２−２（ｋｄ）２ＣＯＳθ
ＣＯＳθ＝１−１／（２ｋ２）
∴θ＝ＡＣＯＳ｛１−１／（２ｋ２）｝
Ｌｅ＋２×Ｌｂ＝ｒθ
∴Ｌｅ＝ｋｄ×ＡＣＯＳ｛１−１／（２ｋ２）｝−２×Ｌｂ
となる。
【００２７】
この式においてｄ＝７ｍｍ、Ｌｂ＝２．５ｍｍとしたときの、発光幅Ｌｅと係数ｋとの関係を図５に示す。
図５に示すように、係数ｋを小さくするほど発光幅Ｌｅが大きくなり、係数ｋ＝０．５としたとき、発光幅Ｌｅを最大にすることができる。つまり、図６に示すように、曲率半径ｒ＝０．５ｄ（直径＝筐体内部寸法ｄ）としたとき、発光幅Ｌｅを、湾曲した有機ＥＬ素子２０の半周分まで広げることができる。このとき、ベゼル部２２は、筐体１１の内部側面に沿って、光射出方向の逆方向（図面下方向）に配置することができる。
【００２８】
また、図５に示すように、ｋ＝１としたとき、発光幅Ｌｅは２．３ｍｍとなり、ｋをこの値（ｋ＝１）より大きくしても、発光幅Ｌｅの増加への寄与が小さい。
また、発光幅Ｌｅの理論限界の最小値は、上述の図４に示す平面形状の有機ＥＬ素子２０を搭載した場合の２ｍｍである。
【００２９】
従って、有機ＥＬ素子２０の曲率半径ｒは、筐体１１の内部寸法ｄに対して０．５ｄ≦ｒ≦１ｄとすることが好ましい。
これは、上述のように、曲率半径ｒ＝０．５ｄ（直径＝筐体内部寸法ｄ）としたとき、湾曲による有機ＥＬ素子２０の全幅（Ｌｅ＋２Ｌｂ）を最大にできるため、発光幅Ｌｅも最大にすることができる。また、ｋを１より大きくしても、有機ＥＬ素子２０の湾曲が発光幅Ｌｅの増加に寄与しにくいためである。
但し、有機ＥＬ素子２０の破損を考慮すると、現状ではおよそ３ｍｍ＜ｒとすることが好ましい。
【００３０】
特に、曲率半径ｒ＝０．５ｄとしたとき、発光幅Ｌｅは、Ｌｅ≦π×ｒを満たすことが好ましい。曲率半径ｒ＝０．５ｄとしたときは、湾曲した有機ＥＬ素子２０の全幅（Ｌｅ＋２Ｌｂ）を最大にできるため、発光幅Ｌｅを円弧の半周分（π×ｒ）まで最大化することができる。また、ｒ＝０．５ｄのとき、円弧の半周分（π×ｒ）を超えて有機ＥＬ素子２０の発光幅Ｌｅを形成しても、発光領域２１が光射出方向の逆方向（図面下方向）に配置されてしまい、発光部１２の外部へ光が導出され難い。このため、発光幅Ｌｅを円弧の半周分（π×ｒ）以下とすることが好ましい。
【００３１】
上述のように、有機ＥＬ素子２０を、筐体１１内で光の射出方向に対して湾曲した状態で搭載することにより、筐体１１の発光部１２の実装面積よりも大きい面積の有機ＥＬ素子２０を搭載することができる。そして、有機ＥＬ素子２０の面積を大きくすることができるため、有機ＥＬ素子２０のベゼル部２２による障害を抑制し、発光領域２１の面積を増加させることができる。
【００３２】
さらに、筐体１１内で発光領域２１の面積を増加させることにより、筐体１１内の発光面、つまり筐体１１表面における発光部１２の面積に対する、発光領域２１の面積の比率を増加することができる。このため、従来のＬＥＤ光源のような点光源による粒状感等の表示品質の低下が発生しない。さらに、平面状で有機ＥＬ素子２０を搭載した場合のように、発光部１２の面積に占める発光領域２１の割合が小さい場合に発生する、照度分布による表示品質の低下を抑制することができる。例えば、発光領域２１が設けられる発光部１２の中央部分の照度が高く、周囲の照度が低くなるという、照度の不均一を抑制することができる。
【００３３】
さらに、円弧状に湾曲させることにより、湾曲させた際に発生する有機ＥＬ素子２０への応力を、有機ＥＬ素子２０の全面に均等に分散させることができる。有機ＥＬ素子は折り曲げには弱く、折り曲げると有機層剥離、電極破損を招く可能性が高い。また、ある程度以上の曲率で曲げた場合にも同様の不具合を生じる。
これに対し、有機ＥＬ素子２０を円弧状に湾曲させることにより、曲率が低くても発光領域の拡大が可能となる。このため、有機ＥＬ素子２０の一部を折り曲げるような構成に比べて、素子の損傷を抑制することができ、有機層剥離、電極破損等の問題を抑制することができる。
【００３４】
有機ＥＬ素子２０を湾曲させるためには、有機ＥＬ素子２０が、可撓性であること望ましい。特に、有機ＥＬ素子２０を搭載する基材が、樹脂フィルム等の可撓性基材により構成されていることが好ましい。また、予め湾曲された状態の基材に有機ＥＬ素子２０を形成又は搭載することにより、湾曲状態を維持した有機ＥＬ素子２０とすることも可能である。
【００３５】
また、有機ＥＬ素子２０の湾曲方向は、任意方向とすることができる。図３では、有機ＥＬ素子２０を光の射出方向が凸の円弧状に湾曲させたが、これとは逆に、光の射出方向に凹の円弧状に湾曲させてもよい。
有機ＥＬ素子２０の湾曲方向は、図２の縦方向、横方向のいずれでもよく、また、他の方向としてもよい。発光領域２１が図２に示すように矩形状である場合には、矩形の短辺方向（図面横方向）に湾曲させることにより、発光領域２１の拡大効果を、より大きく発揮することができる。
また、有機ＥＬ素子２０は、矩形状に限らず、他の形状としてもよい。湾曲方向及び曲率を調整することにより、発光領域がより大きくなるように、有機ＥＬ素子２０を湾曲させることが好ましい。
さらに、図３では有機ＥＬ素子２０を円弧上に湾曲させた状態を示したが、有機ＥＬ素子２０は円弧状に限られず、楕円、放物線、及び、双曲線等の他の形状に湾曲されていてもよい。
【００３６】
有機ＥＬ素子２０を筐体１１に固定する方法としては、上述の図３に示すような取り付け溝１３を設ける以外にも、例えば、図７や図８に示す構成とすることもできる。
図７に示すように、光の射出方向が円弧状に形成された支持部材１４を準備し、この支持部材１４の円弧状の表面に有機ＥＬ素子２０を設置する。また、筐体１１の内部側面に、この支持部材１４を取り付けるための固定部１５を設ける。そして、固定部１５に、支持部材１４を取り付けることで、筐体１１内に有機ＥＬ素子２０と取り付けることができる。
なお、支持部材１４の表面は、図７に示す円弧状の形態に限られず、有機ＥＬ素子２０の所望の湾曲状態に沿うように形成されていればよく、例えば、楕円、放物線、及び、双曲線等の他の形状に形成されていてもよい。
また、図８に示すように、筐体１１の内部側面に、有機ＥＬ素子２０と取り付けるための固定リブ１６を設ける。そして、この固定リブ１６に、有機ＥＬ素子２０をはめ込むように固定することにより、有機ＥＬ素子２０を筐体１１内に湾曲した状態で取り付けることができる。
【００３７】
なお、有機ＥＬ素子２０の構成としては、湾曲可能な構成であれば、特に限定されない。また、トップエミッション型、ボトムエミッション型、両面発光型及びその他の構成を適用することができる。両面発光型の場合には、光の射出方向と反対側の面に反射部材等を設けることが可能である。
【００３８】
［有機ＥＬ素子の構成層］
有機ＥＬ素子において、発光領域は、電極間に発光性を有する発光機能層を備える構成である。電極は第１電極と第２電極とからなり、それぞれ有機ＥＬ素子の陰極又は陽極を構成する。発光機能層は、少なくとも発光性を有し、有機材料から構成された発光層を有する。さらに、発光層と電極との間に他の層を備えていてもよい。
【００３９】
有機ＥＬ素子の代表的な素子構成としては、以下の構成を挙げることができるが、これらに限定されるものではない。
（１）陽極／発光層／陰極
（２）陽極／発光層／電子輸送層／陰極
（３）陽極／正孔輸送層／発光層／陰極
（４）陽極／正孔輸送層／発光層／電子輸送層／陰極
（５）陽極／正孔輸送層／発光層／電子輸送層／電子注入層／陰極
（６）陽極／正孔注入層／正孔輸送層／発光層／電子輸送層／陰極
（７）陽極／正孔注入層／正孔輸送層／（電子阻止層／）発光層／（正孔阻止層／）電子輸送層／電子注入層／陰極
上記の中で（７）の構成が好ましく用いられるが、これに限定されるものではない。
上記の代表的な素子構成において、陽極と陰極を除く層が、発光性を有する発光機能層である。
【００４０】
上記構成において、発光層は、単層または複数層で構成される。発光層が複数の場合は、各発光層の間に非発光性の中間層を設けてもよい。
また、必要に応じて、発光層と陰極との間に正孔阻止層（正孔障壁層）や電子注入層（陰極バッファー層）等を設けてもよく、また、発光層と陽極との間に電子阻止層（電子障壁層）や正孔注入層（陽極バッファー層）等を設けてもよい。
電子輸送層は、電子を輸送する機能を有する層である。電子輸送層には、広い意味で電子注入層、及び、正孔阻止層も含まれる。また、電子輸送層は、複数層で構成されていてもよい。
正孔輸送層は、正孔を輸送する機能を有する層である。正孔輸送層には、広い意味で正孔注入層、及び、電子阻止層も含まれる。また、正孔輸送層は、複数層で構成されていてもよい。
【００４１】
（タンデム構造）
また、有機ＥＬ素子２０は、発光領域２１に少なくとも１層の発光層を含む発光機能層を複数積層した、いわゆるタンデム構造の素子であってもよい。
発光機能層とは、上記有機ＥＬ素子の構成において、発光性を有する発光機能層に該当する。発光機能層としては、例えば、上記の代表的な素子構成で挙げた（１）〜（７）の構成から、陽極と陰極を除いたもの等が挙げられる。
【００４２】
タンデム構造の代表的な素子構成としては、例えば以下の構成を挙げることができる。
（１）陽極／第１発光機能層／中間層／第２発光機能層／陰極
（２）陽極／第１発光機能層／中間層／第２発光機能層／中間層／第３発光機能層／陰極
【００４３】
ここで、上記第１発光機能層、第２発光機能層及び第３発光機能層は全て同じであっても、異なっていてもよい。また、２つの発光機能層が同じであり、残る１つが異なっていてもよい。
【００４４】
また、各発光機能層は直接積層されていても、中間層を介して積層されていてもよい。中間層は、例えば、中間電極、中間導電層、電荷発生層、電子引抜層、接続層、又は、中間絶縁層等から構成され、陽極側の隣接層に電子を、陰極側の隣接層に正孔を供給する機能を持った層であれば、公知の材料構成を用いることができる。
【００４５】
中間層に用いられる材料としては、例えば、ＩＴＯ（インジウム・錫酸化物）、ＩＺＯ（インジウム・亜鉛酸化物）、ＺｎＯ２、ＴｉＮ、ＺｒＮ、ＨｆＮ、ＴｉＯＸ、ＶＯＸ、ＣｕＩ、ＩｎＮ、ＧａＮ、ＣｕＡｌＯ２、ＣｕＧａＯ２、ＳｒＣｕ２Ｏ２、ＬａＢ６、ＲｕＯ２、Ａｌ等の導電性無機化合物層や、Ａｕ／Ｂｉ２Ｏ３等の２層膜や、ＳｎＯ２／Ａｇ／ＳｎＯ２、ＺｎＯ／Ａｇ／ＺｎＯ、Ｂｉ２Ｏ３／Ａｕ／Ｂｉ２Ｏ３、ＴｉＯ２／ＴｉＮ／ＴｉＯ２、ＴｉＯ２／ＺｒＮ／ＴｉＯ２等の多層膜、またＣ６０等のフラーレン類、オリゴチオフェン等の導電性有機物層、金属フタロシアニン類、無金属フタロシアニン類、金属ポルフィリン類、無金属ポルフィリン類等の導電性有機化合物層等が挙げられるが、これらに限定されない。
【００４６】
［基材］
有機ＥＬ素子２０に用いることができる基材（基体、基板、支持基板、支持体）としては、ガラス、プラスチック等の種類に特に限定はなく、また透明であっても不透明であってもよい。基材側から光を取り出す場合には、基材は透明であることが好ましい。好ましく用いられる透明な基材としては、有機ＥＬ素子にフレキシブル性を与えることが可能な樹脂フィルムである。
また、不透明な支持基板としては、例えば、アルミ、ステンレス等の金属板、フィルムや不透明樹脂基板、セラミック製の基板等が挙げられる。
【００４７】
樹脂フィルムとしては、例えば、ポリエチレンテレフタレート（ＰＥＴ）、ポリエチレンナフタレート（ＰＥＮ）等のポリエステル、ポリエチレン、ポリプロピレン、セロファン、セルロースジアセテート、セルローストリアセテート（ＴＡＣ）、セルロースアセテートブチレート、セルロースアセテートプロピオネート（ＣＡＰ）、セルロースアセテートフタレート、セルロースナイトレート等のセルロースエステル類またはそれらの誘導体、ポリ塩化ビニリデン、ポリビニルアルコール、ポリエチレンビニルアルコール、シンジオタクティックポリスチレン、ポリカーボネート、ノルボルネン樹脂、ポリメチルペンテン、ポリエーテルケトン、ポリイミド、ポリエーテルスルホン（ＰＥＳ）、ポリフェニレンスルフィド、ポリスルホン類、ポリエーテルイミド、ポリエーテルケトンイミド、ポリアミド、フッ素樹脂、ナイロン、ポリメチルメタクリレート、アクリルあるいはポリアリレート類、アートン（商品名ＪＳＲ社製）あるいはアペル（商品名三井化学社製）といったシクロオレフィン系樹脂等を挙げられる。
【００４８】
樹脂フィルムの表面には、無機物、有機物の被膜またはその両者のハイブリッド被膜等によるバリア膜が形成されていてもよい。バリア膜は、ＪＩＳ  Ｋ  ７１２９−１９９２に準拠した方法で測定された、水蒸気透過度（２５±０．５℃、相対湿度（９０±２）％ＲＨ）が０．０１ｇ／（ｍ２・２４ｈ）以下のバリア性フィルムであることが好ましい。更には、ＪＩＳ  Ｋ  ７１２６−１９８７に準拠した方法で測定された酸素透過度が、１０−３ｍｌ／（ｍ２・２４ｈ・ａｔｍ）以下、水蒸気透過度が、１０−５ｇ／（ｍ２・２４ｈ）以下の高バリア性フィルムであることが好ましい。
【００４９】
バリア膜を形成する材料としては、水分や酸素等の素子の劣化をもたらすものの浸入を抑制する機能を有する材料であればよい。例えば、酸化珪素、二酸化珪素、窒化珪素等を用いることができる。更に、バリア膜の脆弱性を改良するために、これら無機層と有機材料からなる層との積層構造を持たせることがより好ましい。無機層と有機層の積層順については特に制限はないが、両者を交互に複数回積層させることが好ましい。
【００５０】
バリア膜の形成方法については特に限定はなく、例えば、真空蒸着法、スパッタリング法、反応性スパッタリング法、分子線エピタキシー法、クラスタ−イオンビーム法、イオンプレーティング法、プラズマ重合法、大気圧プラズマ重合法、プラズマＣＶＤ法、レーザーＣＶＤ法、熱ＣＶＤ法、コーティング法等を用いることができる。例えば、特開２００４−６８１４３号公報に記載されているような大気圧プラズマ重合法によるものが好ましい。
【００５１】
［陽極、陰極］
有機ＥＬ素子２０は、光が透過する側の電極を、透光性の導電層により形成された透明電極とする必要がある。
透明電極としては、例えば、銀を主成分として構成された層であって、銀又は銀を主成分とした合金を用いて構成された層である。このような透明電極の形成方法としては、塗布法、インクジェット法、コーティング法、ディップ法等のウェットプロセスを用いる方法や、蒸着法（抵抗加熱、ＥＢ法等）、スパッタ法、ＣＶＤ法等のドライプロセスを用いる方法等が挙げられる。なかでも蒸着法が好ましく適用される。
【００５２】
透明電極を構成する銀（Ａｇ）を主成分とする合金は、一例として銀マグネシウム（ＡｇＭｇ）、銀銅（ＡｇＣｕ）、銀パラジウム（ＡｇＰｄ）、銀パラジウム銅（ＡｇＰｄＣｕ）、銀インジウム（ＡｇＩｎ）等が挙げられる。
【００５３】
さらに、この透明電極は、厚さが４〜１５ｎｍの範囲にあることが好ましい。厚さ１５ｎｍ以下では、層の吸収成分及び反射成分が低く抑えられ、透明電極の光透過率が維持されるため好ましい。また、厚さが４ｎｍ以上であることにより、層の導電性も確保される。
【００５４】
以上のような透明電極は、銀又は銀を主成分とした合金の層が、必要に応じて複数の層に分けて積層された構成であってもよい。
また、透明電極は、上記銀を主成分とする以外の構成としてもよい。例えば、他の金属や合金、ＩＴＯ、酸化亜鉛、酸化スズ等の各種の透明導電性物質薄膜を用いてもよい。
なお、透明電極として、銀を主成分として構成された層を形成する場合には、Ｐｄ等を含む他の導電層や、窒素化合物、硫黄化合物等の有機層を、透明電極の下地層として形成してもよい。下地層を形成することにより、銀を主成分として構成された層の成膜製の向上や、透明電極の抵抗率の低下、及び、透明電極の光透過性を向上させることができる。
【００５５】
また、上記透明電極と対向する側の電極には、金属、合金、有機又は無機の導電性化合物、及びこれらの混合物が用いられる。具体的には、金、アルミニウム、銀、マグネシウム、リチウム、マグネシウム／銅混合物、マグネシウム／銀混合物、マグネシウム／アルミニウム混合物、マグネシウム／インジウム混合物、インジウム、リチウム／アルミニウム混合物、希土類金属、ＩＴＯ、ＺｎＯ、ＴｉＯ２、ＳｎＯ２等の酸化物半導体等が挙げられる。
【００５６】
〈２．電子機器（第２実施形態）〉
次に、電子機器の第２実施形態について説明する。なお、第２実施形態の電子機器において、筐体及び有機ＥＬ素子は、上述の第１実施形態で説明する図１及び図２と同様の構成である。このため、上述の第１実施形態と同様の構成については、説明を省略する。
【００５７】
第２実施形態の電子機器の発光部の概略構成を図９及び図１０に示す。図９及び図１０に示すように、筐体１１内に有機ＥＬ素子２０が搭載され、筐体１１の光射出方向における端面上に光学部材１８が備えられている。この有機ＥＬ素子２０及び光学部材１８の構成は上述の第１実施形態と同様である。
【００５８】
図９に示す構成では、光学部材１８と有機ＥＬ素子２０との間において、筐体１１の内部側面に、反射部材２５が設けられている。反射部材２５は、筐体１１の内部側面において、有機ＥＬ素子２０の射出面側から、筐体１１の表面側まで設けられている。反射部材２５は、反射面が筐体１１の内側を向くように配置されている。
図１０に示す構成では、有機ＥＬ素子２０のベゼル部２２に、反射部材２６が設けられている。反射部材２６の反射面は、発光部１２の光の射出方向を向くように配置されている。
【００５９】
有機ＥＬ素子２０の配光は、ランバーシアン（Lambertian：均等拡散面）配光に近いため発光領域２１から射出された光が、筐体１１の上方だけでなく、筐体１１の内部側面や有機ＥＬ素子２０のベゼル部２２にも照射される。このため、筐体１１の外に射出される光量が低下してしまう。
【００６０】
そこで、有機ＥＬ素子２０の発光領域２１、及び、光の射出面となる筐体１１の発光部１２の光の射出方向（図面上側）を除く領域に、反射部材２５，２６を設けることにより、筐体１１の内部側面や、有機ＥＬ素子２０のベゼル部２２に照射される光を反射して、発光部１２の外部に射出することが可能となる。
【００６１】
反射部材２５，２６としては、筐体１１及びベゼル部２２とは別個の反射膜を備える部材を組み込んでもよく、また、筐体１１やベゼル部２２を反射材でコーティングしてもよい。
【００６２】
筐体１１の内部側面やベゼル部２２等の、発光部１２において、有機ＥＬ素子２０の発光領域２１、及び、射出方向以外の領域に反射部材２５，２６を設けることにより、筐体１１の内部側面やベゼル部２２等での光の吸収を抑制することができる。このため、発光部１２において、反射部材２５，２６を設けることにより、発光部１２から射出される光量の増加や、発光部１２の照度分布の改善が可能となる。
【００６３】
なお、筐体１１の内部側面と、有機ＥＬ素子２０のベゼル部２２との両方に反射部材を設ける構成としてもよく、その他の領域に反射部材を設けてもよい。有機ＥＬ素子２０の筐体１１への固定方法も、上述の図７、図８及びその他の構成としてもよい。
【００６４】
〈３．電子機器（第３実施形態）〉
次に、電子機器の第３実施形態について説明する。なお、第３実施形態の電子機器において、光学部材を除く、筐体及び有機ＥＬ素子の構成は、上述の第１実施形態で説明する図１及び図２と同様の構成である。このため、上述の第１実施形態と同様の構成については、説明を省略する。
【００６５】
第３実施形態の電子機器の発光部の概略構成を図１１及び図１２に示す。図１１及び図１２に示すように、筐体１１内に有機ＥＬ素子２０が搭載されている。この有機ＥＬ素子２０が搭載されている構成は上述の第１実施形態と同様である。
【００６６】
図１１に示す構成では、発光部１２の光の射出面方向の筐体１１に光学部材として凹レンズ２７が設けられている。凹レンズ２７は、光の射出面側が、筐体１１から突出しないように筐体１１内に設けられ、射出面側の表面が平坦面である。そして、凹レンズ２７は、有機ＥＬ素子２０側に凹面を有している。凹レンズ２７は、発光部１２全体を小型化するために、凹面が有機ＥＬ素子２０の曲率に沿うように設けられ、凹レンズ２７の凹部内に有機ＥＬ素子２０が近接する構成となっている。このように、発光部１２内において、凹レンズ２７の下端側が、有機ＥＬ素子２０の上端側と重なる配置とすることで、光学部材を備える発光部１２全体を小型化することができる。
【００６７】
図１２に示す構成では、発光部１２の光の射出面方向の筐体１１内に光学部材として、射出面側の表面が平坦面である拡散板２８が設けられている。拡散板２８としては、特に限定されず、光学部材として市販されている各種拡散板を使用することができる。
【００６８】
上述の図１１及び図１２に示す構成では、有機ＥＬ素子２０を湾曲した状態に搭載することで発光領域２１の幅を広げることに加え、発光部１２の射出面に光学部材を設けることにより、発光部１２における発光領域を擬似的に広げることができる。このため、発光部１２の射出面に光学部材を設けることにより、射出光の配光性を改善し、輝度ムラ、照度分布を改善することができる。
【００６９】
なお、発光部１２の射出面に設ける光学部材としては、上述の凹レンズ、拡散板の他にも、他の形状のレンズ、プリズムシート、及び、他の構成とすることもできる。また、凹レンズ２７の形状は、上述の形状の凹レンズに限られず、射出光の配光性を改善できる構成であれば特に限定されない。
さらに、上述の発光部の射出面に光学部材を設ける構成に、上述の図９、図１０に示すような筐体の内部側面やベゼル部に反射部材を設ける構成を組み合わせてもよい。この場合には、光学部材と反射部材とによる光の拡散効果が向上し、発光部の照度分布を改善することができる。さらに、反射部材により、発光から射出される光量を増加させることができる。
【００７０】
なお、本発明は上述の実施形態例において説明した構成に限定されるものではなく、その他本発明構成を逸脱しない範囲において種々の変形、変更が可能である。
【符号の説明】
【００７１】
１０・・・電子機器、１１・・・筐体、１１Ａ・・・第１側面、１１Ｂ・・・底面、１１Ｃ・・・第２側面、１２・・・発光部、１３・・・溝、１４・・・支持部材、１５・・・固定部、１６・・・固定リブ、１７・・・制御回路、２０・・・有機ＥＬ素子、２１・・・発光領域、２２・・・ベゼル部、２３・・・フレキシブルプリント基板、２４・・・コネクタ、２５，２６・・・反射部材、２７・・・凹レンズ、２８・・・拡散板
【図１】
2014208455.tif 000003
【図２】
2014208455.tif 000004
【図３】
2014208455.tif 000005
【図４】
2014208455.tif 000006
【図５】
2014208455.tif 000007
【図６】
2014208455.tif 000008
【図７】
2014208455.tif 000009
【図８】
2014208455.tif 000010
【図９】
2014208455.tif 000011
【図１０】
2014208455.tif 000012
【図１１】
2014208455.tif 000013
【図１２】
2014208455.tif 000014
【国際調査報告】
2014208455.tif 000015
2014208455.tif 000016
2014208455.tif 000017
2014208455.tif 000018